(57)【要約】【課題】周波数が異なるセルへのハンドオーバでも、高速にハンドオーバが可能な移動無線端末装置を提供する。【解決手段】アンテナ９、受信ＲＦ部４およびＡＤＣ５からなるメイン受信系と、アンテナ１０、受信ＲＦ部６およびＡＤＣ７からなるサブ受信系とを備え、制御部１の制御のもと、受信モデム部８を用いて受信ダイバーシチを行う。受信ダイバーシチを行っている際に、スループット検出部１１がスループットの低下を検出すると、制御部１は、受信ダイバーシチを一時中断して、サブ受信系を制御して、メイン受信系とは異なる周波数の基地局からの信号を受信させて受信品質を検証し、この検証結果によっては、上記基地局にハンドオーバするようにしたものである。【選択図】      図２
2006094383.tif 000002
【特許請求の範囲】
【請求項１】
複数の基地局と選択的に無線通信する移動無線端末装置において、
第１のアンテナを用いて、前記基地局からの無線信号を受信する第１受信手段と、
第２のアンテナを用いて、前記基地局からの無線信号を受信する第２受信手段と、
前記第１受信手段と前記第２受信手段に同じ基地局からの無線信号を受信させて受信ダイバーシチを行う第１制御手段と、
前記受信ダイバーシチによるデータの受信速度を検出する受信速度検出手段と、
この受信速度検出手段が検出した受信速度が予め設定した閾値以下となった場合に、前記第１受信手段を制御して前記基地局からの無線信号の受信を継続させるとともに、前記第２受信手段を制御して、前記第１受信手段が受信する基地局と異なる周辺基地局からの無線信号を受信させて受信に適した基地局を検出する第２制御手段とを具備することを特徴とする移動無線端末装置。
【請求項２】
複数の基地局と選択的に無線通信する移動無線端末装置において、
第１のアンテナを用いて、前記基地局からの無線信号を受信する第１受信手段と、
第２のアンテナを用いて、前記基地局からの無線信号を受信する第２受信手段と、
受信信号を復調する第１復調手段と、
受信信号を復調する第２復調手段と、
前記第１の復調手段の復調結果と、前記第２の復調手段の復調結果とを合成する合成手段と、
この合成手段が合成した復調結果に基づいて、スループットを検出するスループット検出手段と、
前記第１受信手段が受信した受信信号に基づいて、受信に適したパスを検出する第１検出手段と、
前記第２受信手段が受信した受信信号に基づいて、受信に適したパスを検出する第２検出手段と、
前記第１受信手段と前記第２受信手段とが同じ基地局から無線信号を受信するように制御し、前記第１検出手段の検出結果と前記第２検出手段の検出結果とに基づいて、前記第１受信手段と第２受信手段によってそれぞれ得られた受信信号を、選択的に前記第１復調手段と前記第２復調手段に入力する第１制御手段と、
前記スループット検出手段が検出したスループットが予め設定した閾値以下となった場合に、前記第１受信手段が受信する基地局と異なる周辺基地局からの無線信号を前記第２受信手段が受信するように制御することで、前記第２検出手段に前記周辺基地局からの受信に適したパスを検出させる第２制御手段とを具備することを特徴とする移動無線端末装置。
【請求項３】
前記第１検出手段は、前記第１受信手段が受信した受信信号に基づいて、受信に適した複数のパスを、それぞれ受信に適した度合いとともに検出し、
前記第２検出手段は、前記第２受信手段が受信した受信信号に基づいて、受信に適した複数のパスを、それぞれ受信に適した度合いとともに検出し、
さらに、前記第１検出手段の検出結果と前記第２検出手段の検出結果とに基づいて、受信に適した基地局を検出する基地局検出手段とを備え、
前記第１制御手段は、前記基地局検出手段が検出した基地局からの無線信号を、前記第１受信手段と前記第２受信手段とが受信するように制御することを特徴とする請求項２に記載の移動無線端末装置。
【請求項４】
前記基地局検出手段は、前記第１受信手段と前記第２受信手段との間の受信性能の差と前記第１検出手段の検出結果と前記第２検出手段の検出結果とに基づいて、受信に適した基地局を検出することを特徴とする請求項３に記載の移動無線端末装置。
【請求項５】
さらに、前記第１受信手段と前記第２受信手段とが同じ基地局から無線信号を受信する場合に、前記第１検出手段の検出結果と前記第２検出手段の検出結果とに基づいて、前記第１受信手段と前記第２受信手段との間の受信性能の差を求める第３制御手段を備え、
前記基地局検出手段は、前記第３制御手段が求めた受信性能の差を用いることを特徴とする請求項４に記載の移動無線端末装置。
【請求項６】
さらに、前記第１受信手段と前記第２受信手段とが同じ基地局から無線信号を受信するように制御し、前記第１検出手段の検出結果と前記第２検出手段の検出結果とに基づいて、前記第１受信手段と前記第２受信手段との間の受信性能の差を求める第３制御手段を備え、
前記基地局検出手段は、前記第３制御手段が求めた受信性能の差を用いることを特徴とする請求項４に記載の移動無線端末装置。
【請求項７】
前記第３制御手段は、前記スループット検出手段が検出したスループットが予め設定した閾値以下となった場合に、前記第１受信手段と前記第２受信手段とが同じ基地局から無線信号を受信するように制御し、前記第１検出手段の検出結果と前記第２検出手段の検出結果とに基づいて、前記第１受信手段と前記第２受信手段との間の受信性能の差を求めることを特徴とする請求項５に記載の移動無線端末装置。
【請求項８】
前記第３制御手段は、前記受信性能の差を複数サンプル求め、これらを平均化し、
前記基地局検出手段は、前記第３制御手段が平均化して求めた受信性能の差を用いることを特徴とする請求項５乃至請求項７のいずれかに記載の移動無線端末装置。
【請求項９】
さらに、前記基地局から周辺の基地局が用いる周波数についての情報を取得する取得手段を備え、
前記第２制御手段は、前記取得手段が取得した情報に、前記第１受信手段が受信する基地局が用いる周波数と異なる周波数を用いる周辺基地局についての情報が含まれ、かつ前記スループット検出手段が検出したスループットが予め設定した閾値以下となった場合に、前記周辺基地局からの無線信号を前記第２受信手段が受信するように制御することで、前記第２検出手段に前記周辺基地局からの受信に適したパスを検出させることを特徴とする請求項２に記載の移動無線端末装置。
【発明の詳細な説明】
【技術分野】
【０００１】
この発明は、例えば携帯電話システムや無線ＬＡＮなどの無線通信システムで用いられる移動無線端末装置に関する。
【背景技術】
【０００２】
周知のように、ＣＤＭＡ２０００方式を採用する移動通信サービスでは、音声通信を行うための１ｘサービスと、パケットデータ通信を行うための１ｘＥＶ−ＤＯサービスを提供している（例えば、特許文献１参照）。
【０００３】
１ｘＥＶ−ＤＯによるパケットデータ通信では、2.4Mbpsまでの下り高速パケット通信が可能であり、移動局の受信状態により伝送レートを決めて行われる。このため、移動局における受信状態を良い状態にするため、移動局は受信ダイバシティを採用している。この受信ダイバシティは、例えば外出しのアンテナと内蔵アンテナを組合わせた構成で、両アンテナはλ/2程度に離して設けられる。
【０００４】
ところで、１ｘＥＶ−ＤＯサービスでは、多くのユーザが高速パケットを利用するため、時には一つのセルに対して多数の移動局が集中することがある。これを避けるため、セルをマクロセルとマイクロセルと分けて構成しユーザをなるべく分散してデータサービスを行うことが重要である。
【０００５】
現状の１ｘＥＶ−ＤＯサービスでは、マクロセルの半径を３ｋｍ、マイクロセル半径を１００ｍに配置し、マクロセルとマイクロセルとで異なる周波数を割り当てるようにしている。
【０００６】
このため従来のシステムでは、例えばマクロセルとマイクロセルとを切り替えてパケットデータ通信を行う場合に、周波数を切り替える必要があるため、高速なハンドオーバが行えないという問題があった。
【特許文献１】特開２００４−０６６９８９公報
【発明の開示】
【発明が解決しようとする課題】
【０００７】
従来の移動無線端末装置では、例えばマクロセルとマイクロセルとを切り替えてパケットデータ通信を行う場合に、周波数を切り替える必要があるため、高速なハンドオーバが行えないという問題があった。
【０００８】
この発明は上記の問題を解決すべくなされたもので、周波数が異なるセルへのハンドオーバでも、高速にハンドオーバが可能な移動無線端末装置を提供することを目的とする。
【課題を解決するための手段】
【０００９】
上記の目的を達成するために、この発明は、複数の基地局と選択的に無線通信する移動無線端末装置において、第１のアンテナを用いて、基地局からの無線信号を受信する第１受信手段と、第２のアンテナを用いて、基地局からの無線信号を受信する第２受信手段と、第１受信手段と第２受信手段に同じ基地局からの無線信号を受信させて受信ダイバーシチを行う第１制御手段と、受信ダイバーシチによるデータの受信速度を検出する受信速度検出手段と、この受信速度検出手段が検出した受信速度が予め設定した閾値以下となった場合に、第１受信手段を制御して基地局からの無線信号の受信を継続させるとともに、第２受信手段を制御して、第１受信手段が受信する基地局と異なる周辺基地局からの無線信号を受信させて受信に適した基地局を検出する第２制御手段とを具備して構成するようにした。
【発明の効果】
【００１０】
以上述べたように、この発明では、２つの受信手段を用いて同じ基地局からの無線信号を受信する受信ダイバーシチを行い、受信速度が予め設定した閾値以下となった場合に、一方の受信手段で受信を継続し、他方の受信手段で他の基地局から無線信号を受信して受信に適した基地局を検出するようにしている。
【００１１】
したがって、この発明によれば、一方の受信手段で受信を継続し、他方の受信手段で他の基地局から無線信号を受信して受信に適した基地局を検出するので、ハンドオーバ前後で用いる周波数が異なる場合でも、高速なハンドオーバが可能な移動無線端末装置を提供できる。
【発明を実施するための最良の形態】
【００１２】
以下、図面を参照して、この発明の一実施形態について説明する。なお、以下の説明では、本願発明に関わる移動無線端末装置の一例として、１ｘサービスと、１ｘＥＶ−ＤＯサービスに対応するＣＤＭＡ（Code Division Multiple Access）方式の携帯電話装置を例に挙げて説明する。
【００１３】
本願発明に関わる移動無線端末装置は、例えば図１に示すようにメインの受信ＲＦ部４とサブの受信ＲＦ部６を備える。受信ＲＦ部４には、メインのアンテナである外出しアンテナ９が接続され、受信ＲＦ部６には、サブのアンテナである内蔵アンテナ１０が接続される。
【００１４】
このような構成により受信ダイバーシチを実現するが、外出しアンテナ９と、内蔵アンテナ１０とは、受信した信号に相関が生じないようにすることが望ましいため、λ/2だけ離して設けることが望ましい。
【００１５】
そして、この移動無線端末装置は、ＣＤＭＡ方式を採用するため、アンテナ毎のパス分離が可能である。このため、アンテナ切り換えではなく、フィンガ受信機を複数備えて、最大比合成を行う。
【００１６】
図２に、上記移動無線端末装置の回路ブロック図を示す。  
この移動無線端末装置は、制御部１と、送信ＲＦ部２と、送信モデム部３と、受信ＲＦ部４と、ＡＤＣ５と、受信ＲＦ部６と、ＡＤＣ７と、受信モデム部８と、アンテナ９，１０と、スループット検出部１１とを備え、アンテナ９、受信ＲＦ部４およびＡＤＣ５でメインの受信系を構成し、アンテナ１０、受信ＲＦ部６およびＡＤＣ７でサブの受信系を構成る。
【００１７】
制御部１は、当該移動無線端末装置の各部を統括して制御するものである。例えば、１ｘサービス（音声通信）を行う場合には、送信ＲＦ部２および送信モデム部３を含む送信系と、受信モデム部８を含むメインの受信系、１系統で受信を行うように制御する。
【００１８】
そして、１ｘＥＶ−ＤＯサービス（パケットデータ通信）を行う場合には、送信ＲＦ部２および送信モデム部３を含む送信系と、受信モデム部８を含むメインの受信系とサブの受信系、２系統で受信を行うように制御し、受信ダイバーシチを行う。
【００１９】
また制御部１は、メインの受信系とサブの受信系、それぞれについて動作制御し、間欠受信を行う。受信モデム部８に対して制御部１は、上記２つの受信系より入力されるディジタル信号を選択的に信号処理するように制御する。
【００２０】
そして、新たな制御機能として制御部１は、パケットデータ通信時において、スループット検出部１１の検出結果に応じて、上記受信ダイバーシチに関わる構成を制御して、ハンドオーバを行う機能を備える。
【００２１】
送信データは、送信モデム部３で搬送波の変調に用いられる。これによって得られた信号は、送信モデム部３で、所定の拡散符号によって拡散された後、送信ＲＦ部２でアップコンバートされて、アンテナ９から空間に放射される。
【００２２】
移動通信システムのネットワークに収容される基地局からの無線信号は、アンテナ９およびアンテナ１０で受信される。アンテナ９で受信された無線信号は、受信ＲＦ部４にてベースバンド信号にダウンコンバートされた後、ＡＤＣ５にてアナログ信号からディジタル信号に変換され、受信モデム部８に入力される。
【００２３】
アンテナ１０で受信された無線信号は、受信ＲＦ部６にてベースバンド信号にダウンコンバートされた後、ＡＤＣ７にてアナログ信号からディジタル信号に変換され、受信モデム部８に入力される。
【００２４】
受信モデム部８は、制御部１の制御により、上記２つの受信系より入力されるディジタル信号を選択的に信号処理する。受信モデム部８は、サーチャ８１，８２と、フィンガ８３〜８６と、合成器８７とを備える。この例では、サーチャの数を２とし、フィンガの数を４としている。
【００２５】
サーチャ８１，８２は、メインの受信系で得られたディジタル信号と、サブの受信系で得られたディジタル信号のうち、制御部１からの指示に従っていずれか一方のディジタル信号を選択する。
【００２６】
そしてサーチャ８１，８２は、制御部１からの指示に基づくＰＮ符号を生成して、上記選択したディジタル信号を上記生成したＰＮ符号で逆拡散して、上記ＰＮ符号と上記ディジタル信号との相関レベルを求め、これを制御部１に出力する。
【００２７】
すなわち制御部１は、サーチャ８１，８２にて生成するＰＮ符号の種類および生成タイミング（位相）を可変して、サーチャ８１，８２に上記ディジタル信号の逆拡散を行わせ、その結果から受信に適したパスを検出する。
【００２８】
そして制御部１は、受信に適したパスをフィンガ８３〜８６が受信するようにＰＮ符号を割り当てる。フィンガ８３〜８６は、２つの受信系のうち、制御部１によって指示される受信系のディジタル信号を、制御部１から割り当てられたＰＮ符号で逆拡散する。
【００２９】
図３に、サーチャ８１の構成例を示す。サーチャ８１は、入力切替部８０１と、ＰＮ符号発生器８０２と、乗算器８０３と、積分器８０４と、自乗回路８０５とを備える。なお、サーチャ８２の構成も同様であることより、説明を省略する。
【００３０】
入力切替部８０１は、制御部１からの指示に応じて、ＡＤＣ５の出力とＡＤＣ７の出力のうち、いずれか一方を選択的に乗算器８０３の第１の入力端子に出力する。ＰＮ符号発生器８０２は、制御部１からの指示に応じたタイミング（位相）と種類のＰＮ符号を生成するもので、生成したＰＮ符号を乗算器８０３の第２の入力端子に出力する。
【００３１】
乗算器８０３は、第１の入力端子に入力されるディジタル信号に、第２の入力端子に入力されるＰＮ符号を乗算する。積分器８０４は、乗算器８０３の乗算結果を積分し、この結果を自乗回路８０５に出力する。自乗回路８０５は、積分器８０４の出力を２乗する。このようにして、上記ディジタル信号とＰＮ符号との相関レベルが得られ、これが制御部１に出力される。
【００３２】
以上のようなサーチャ８１，８２を用いた制御部１によるパスサーチの概念について、図４を参照して説明する。ここでは、ＣＤＭＡ２０００方式を例に挙げる。  
各基地局は、６４符号の倍数で符号空間２15に配置される。そのため、０〜５１１のＰＮオフセットを割り当てることが可能である。ＰＮオフセットが「３」の場合、図５に示すように、６４×３＝１９２符号位相を中心にして、窓長１２８チップの場合は−６４〜０〜＋６４をサーチする。
【００３３】
ここで例えば図６に示すようなサーチ結果が得られたとする。この例では、制御部１は、サーチャ８１にメインの受信系についてパスサーチを行わせ、サーチャ８２にサブの受信系についてパスサーチを行わせたものである。
【００３４】
またこの場合、同じセルをサーチ対象とするために、制御部１は、受信ＲＦ部４および受信ＲＦ部６に同じ周波数を受信するように制御し、サーチャ８１とサーチャ８２に対して、同じＰＮ符号を割り当てたものである。
【００３５】
図６に示す例では、メインの受信系については、パス７１〜７４が検出されたが、パス７１，７４が上位２つのパワーが得られることより、制御部１は、パス７１をフィンガ８３に割り当てるとともに、パス７４をフィンガ８４に割り当てる。
【００３６】
また、サブの受信系については、パス７５〜７８が検出されたが、パス７６，７７が上位２つのパワーが得られることより、制御部１は、パス７６をフィンガ８５に割り当てるとともに、パス７７をフィンガ８６に割り当てる。
【００３７】
図７に、フィンガ８３〜８６の構成例を示す。フィンガ８３〜８６は、それぞれ入力切替部８１０と、フィンガ復調部８２０と、同期追従部８３０とを備える。  
入力切替部８１０は、制御部１からの指示に応じて、ＡＤＣ５の出力とＡＤＣ７の出力のうち、いずれか一方を選択的にフィンガ復調部８２０および同期追従部８３０に出力する。
【００３８】
フィンガ復調部８２０は、入力されるディジタル信号を制御部１の指示に従って復調するものである。同期追従部８３０は、位相ずれを検出して制御部１に通知する。これにより制御部１は、同期追従部８３０が検出した位相ずれを考慮してフィンガ復調部８２０に指示を与える。
【００３９】
フィンガ復調部８２０は、ＰＮ符号発生器８２１と、乗算器８２２と、積分器８２３とを備える。ＰＮ符号発生器８２１は、制御部１からの指示に応じたタイミング（位相）と種類のＰＮ符号を生成するもので、生成したＰＮ符号を乗算器８２２の第２の入力端子に出力する。
【００４０】
乗算器８２２は、入力切替部８１０が選択したディジタル信号が第１の入力端子に入力され、このディジタル信号に第２の入力端子に入力されるＰＮ符号を乗算する。積分器８２３は、乗算器８２２の乗算結果を積分し、これによって得られる復調結果を合成器８７に出力する。
【００４１】
同期追従部８３０は、ＰＮ符号発生器８３１ａ，８３１ｂと、乗算器８３２ａ，８３２ｂと、積分器８３３ａ，８３３ｂと、自乗回路８３４ａ，８３４ｂと、加算回路８３５とを備える。
【００４２】
ＰＮ符号発生器８３１ａは、ＰＮ符号発生器８２１が生成するＰＮ符号と同じＰＮ符号を、ＰＮ符号発生器８２１よりも１／２チップだけ位相を進ませて生成するもので、生成したＰＮ符号を乗算器８３２ａの第２の入力端子に出力する。
【００４３】
乗算器８３２ａは、入力切替部８１０が選択したディジタル信号が第１の入力端子に入力され、このディジタル信号に第２の入力端子に入力されるＰＮ符号を乗算する。積分器８３３ａは、乗算器８３２ａの乗算結果を積分し、この結果を自乗回路８３４ａに出力する。自乗回路８３４ａは、積分器８３３ａの出力を２乗する。
【００４４】
ＰＮ符号発生器８３１ｂは、ＰＮ符号発生器８２１が生成するＰＮ符号と同じＰＮ符号を、ＰＮ符号発生器８２１よりも１／２チップだけ位相を遅らせて生成するもので、生成したＰＮ符号を乗算器８３２ｂの第２の入力端子に出力する。
【００４５】
乗算器８３２ｂは、入力切替部８１０が選択したディジタル信号が第１の入力端子に入力され、このディジタル信号に第２の入力端子に入力されるＰＮ符号を乗算する。積分器８３３ｂは、乗算器８３２ｂの乗算結果を積分し、この結果を自乗回路８３４ｂに出力する。自乗回路８３４ｂは、積分器８３３ｂの出力を２乗する。
【００４６】
自乗回路８３４ａおよび自乗回路８３４ｂの自乗結果は、加算回路８３５にて加算され、制御部１に出力される。制御部１は、加算回路８３５の出力に基づいて、位相のずれを検出し、この位相ずれを補正したタイミングで、ＰＮ符号発生器８２１にＰＮ符号を生成させる。
【００４７】
以上のようにして、フィンガ８３〜８６によって得られる逆拡散の結果は、合成器８７に出力される。合成器８７は、フィンガ８３〜８６の逆拡散の結果を最大比合成し、復調データとして後段の信号処理部（図示しない）に出力する。このような受信ダイバーシチによれば、受信品質が高められ、高速な下りパケットデータ通信が可能となる。
【００４８】
スループット検出部１１は、合成器８７にて得られた復調データに基づいて、基地局から当該移動無線端末装置へのスループットを検出する。この検出方法としては、例えば図８に示すように、タイマを起動して時間ｔが経過する間に受信したパケットデータ量を監視する方法や、パケット受信における平均区間を算出する方法が考えられる。この検出結果は、制御部１に通知される。
【００４９】
次に、当該移動無線端末装置の動作について説明する。ここでは特に、当該移動無線端末装置が図９に示すような環境に置かれる場合を例に挙げて説明する。図９に示す環境では、セルＣ、Ｄは、それぞれマクロセルを示しており、これらのセルを形成する基地局は、ともに周波数ｆ１で１ｘＥＶ−ＤＯサービスを提供し、高速パケットデータ通信を行う。マクロセルの半径は、おおよそ３ｋｍを想定する。
【００５０】
またセルＣとセルＤが重なる領域には、マイクロセル群が形成されている。マイクロセルを形成する基地局は、それぞれ周波数ｆ２で１ｘＥＶ−ＤＯサービスを提供する。マイクロセルの半径は、おおよそ１００ｍを想定する。
【００５１】
マイクロセル群を構成するマイクロセルのうち、セルＡはマイクロセル群の中心付近で、セルＣとセルＤの重なる領域に位置している。これに対して、セルＢはマクロセルＣ内のマイクロセル群の外縁に位置する。
【００５２】
セルＡは、図１０に示すような隣接セル情報を移動無線端末装置に対して提供している。この隣接セル情報では、セルＡが他のマイクロセルに囲まれた地点に位置するため、隣接するマイクロセルが用いるＰＮ符号の識別番号と、マイクロセルで用いられる周波数ｆ２を通知するものである。
【００５３】
またセルＢは、図１１に示すような隣接セル情報を移動無線端末装置に対して提供している。この隣接セル情報では、セルＢがマイクロセル群の外縁に位置するため、隣接するマイクロセルが用いるＰＮ符号の識別番号と、マイクロセルで用いられる周波数ｆ２、およびセルＤなどのマクロセルが用いるＰＮ符号の識別番号と、マクロセルで用いられる周波数ｆ１を通知するものである。
【００５４】
さらにセルＣは、図１２に示すような隣接セル情報を移動無線端末装置に対して提供している。この隣接セル情報では、セルＣ内にマイクロセルが存在するため、隣接するマクロセルＤなどが用いるＰＮ符号の識別番号と、マクロセルで用いられる周波数ｆ１、およびマイクロセルが用いるＰＮ符号の識別番号と、マイクロセルで用いられる周波数ｆ２を通知するものである。
【００５５】
すなわち、セルがマクロセルであったり、あるいはマイクロセルであってマイクロセル群の外縁に位置する場合には、マイクロセルおよびマクロセルの両方について情報を移動無線端末装置に提供する。これに対してセルがマイクロセルであって、他のマイクロセルに周囲が囲われる場合には、マクロセル内であっても、マイクロセルについての情報のみを提供する。
【００５６】
セルＡ付近に位置する移動無線端末装置が、１ｘＥＶ−ＤＯサービスにより高速パケットデータ通信を行っている場合、例えユーザが移動しても、他のマイクロセルに位置することになるため、周波数ｆ２を通じてマイクロセルからサービスを受けることが好ましい。
【００５７】
これに対して、セルＢのようなマイクロセル群の外縁に位置する移動無線端末装置が、１ｘＥＶ−ＤＯサービスにより高速パケットデータ通信を行っている場合、マイクロセルから外れるとマクロセルからサービスを受ける必要がある。
【００５８】
このようにしてマクロセルからサービスを受けると、マイクロセルを利用する場合に比べ、自己宛てのパケットデータの受信量が減り、スループットが悪化する虞がある。このため、当該移動無線端末装置は、以下に説明するような処理によってマイクロセル−マクロセル間のハンドオーバを行う。
【００５９】
図１３は、上記ハンドオーバに関わる制御動作であって、制御部１によってなされる。この制御プログラムは、制御部１に記憶され、当該移動無線端末装置の電源が投入されると、電源が切れられるまで繰り返し実行される。
【００６０】
まずステップ１３ａにおいて制御部１は、スループット検出部１１の検出結果に基づいて、スループットが予め設定した閾値よりも低下したか否かを判定する。ここで、スループットが予め設定した閾値よりも低下した場合には、ステップ１３ｂに移行する。
【００６１】
一方、スループットが予め設定した閾値よりも低下していない場合には、スループットの監視を継続する。なお、当該移動無線端末装置から基地局に対して、パケットデータの送信を要求していない場合にスループットが低下した場合には、ステップ１３ｂに移行しない。
【００６２】
ここでは、これまで１ｘＥＶ−ＤＯサービスをセルＢから受けていたものとし、セルＢとのスループットが低下したものとして説明する。  
ステップ１３ｂにおいて制御部１は、係属中のセルＢなどから受信しておいた隣接セル情報に基づいて、係属中のセルＢとの通信で用いる周波数ｆ２と異なる周波数（例えばｆ１）を用いる隣接セルが存在するか否かを判定する。
【００６３】
ここで、異なる周波数を用いる隣接セルが存在する場合には、ステップ１３ｃに移行し、一方、異なる周波数を用いる隣接セルが存在しない場合には、ステップ１３ａに移行して、スループットの監視を行う。ここでは、隣接セルとして、セルＣが存在するものとする。
【００６４】
ステップ１３ｃにおいて制御部１は、メイン受信系、サブ受信系およびサーチャ８１，８２をそれぞれ制御して、同じ周波数の同じセル（例えばセルＢ）についてＥｃ／Ｎｏを検出し、ステップ１３ｄに移行する。
【００６５】
ステップ１３ｄにおいて制御部１は、ステップ１３ｃで検出した結果に基づいて、メイン受信系とサブ受信系の受信性の差ｄを求め、ステップ１３ｅに移行する。なお、受信性の差を調べる指標としては、Ｅｃ／Ｎｏに限らず、ＲＳＣＰ（Received Signal Code Power）などが考えられる。
【００６６】
ステップ１３ｅにおいて制御部１は、受信ダイバーシチを一時中断し、メイン受信系のみを用いて、係属中のセルＢの受信を行う。このため、図１４に示すように、すべてのフィンガ８３〜８６にメイン受信系の受信信号を入力させるとともに、予めサーチャ８１にサーチさせておいたメイン受信系のパスをフィンガ８３〜８６に割り当てて受信させ、ステップ１３ｆに移行する。
【００６７】
ステップ１３ｆにおいて制御部１は、サブ受信系を、メイン受信系と異なる周波数のセルＣについてのパスサーチに用いる。このため、受信ＲＦ部２には、周波数ｆ１を受信させ、図１４に示すように、サブ受信系の受信信号をサーチャ８２に入力させて、パスサーチを行わせ、ステップ１３ｇに移行する。なお、サーチャ８１には、メイン受信系の受信信号を入力して、セルＢについてのパスサーチを行わせる。
【００６８】
ステップ１３ｇにおいて制御部１は、ステップ１３ｆで行ったセルＣのサーチ結果から得られる各パスの相関レベルの合計値（図１５参照）をステップ１３ｄで求めた受信性能差ｄで補正した値と、サーチャ８１によって検出したメイン受信系のセルＢの各パスの相関レベルの合計値（図１６参照）とを比較して、セルＣにハンドオーバすべきか否かを判定する。
【００６９】
ここで、受信性能差ｄを考慮したサブ受信系（セルＣ）の各パスの相関レベルの合計値が、メイン受信系（セルＢ）の各パスの相関レベルの合計値よりも大きい場合には、制御部１は、セルＣからの信号を受信するようにハンドオーバを行って、再びメイン受信系とサブ受信系とで受信ダイバーシチを行うように制御する。
【００７０】
以上のように、上記構成の移動無線端末装置では、係属中のセルからのスループットが予め設定した閾値よりも低下した場合に、受信ダイバーシチを一時中断して、メイン受信系でパケットデータ受信を行うとともに、サブ受信系で周波数の異なる隣接セルからの信号の受信品質を検証して、隣接セルからの受信信号の品質によっては、隣接セルにハンドオーバするようにしている。
【００７１】
したがって、上記構成の移動無線端末装置によれば、サブ受信系を利用して周波数の異なる隣接セルをハンドオーバ先として検証することができるので、ハンドオーバ前後で、用いる周波数が異なる場合でも、高速なハンドオーバが可能となる。
【００７２】
また上記構成の移動無線端末装置では、メイン受信系とサブ受信系の受信性能差を補正して、ハンドオーバの必要性を判断するようにしているので、上記判断を正確に行うことができる。
【００７３】
さらには、マイクロセル群の外縁に位置するセル（例えばセルＢ）のみが、異なる周波数のセルについての情報を移動無線端末装置に提供するようにしている。このため移動無線端末装置は、マイクロセル群の外縁に位置するセルに位置する場合にのみ、異なる周波数のセルについてパスサーチを行い、セルＡのようにマイクロセル郡内のセルに位置する場合には、マイクロセルについてのみセルサーチを行うことになる。このため、移動無線端末装置が無駄に異なる周波数についてのパスサーチを行うことがない。
【００７４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００７５】
その一例として例えば、上記実施の形態では、係属中のセルからのスループットが低下した場合に、メイン受信系とサブ受信系の受信性能差を求めるようにしたが、スループットの低下とは無関係に、予め上記受信性能差を求めておくようにしてもよい。例えば、パケットデータ通信の開始時に受信性能差を求めておいてもよい。
【００７６】
また受信性能差の測定精度を高めるために、複数回受信性能差を求め、これらを平均した値をステップ１３ｇで用いるようにしてもよい。あるいは定期的に受信性能差を求めて、最後に求めた受信性能差を記憶しておき、この値をステップ１３ｇで用いるようにしてもよい。  
その他、この発明の要旨を逸脱しない範囲で種々の変形を施しても同様に実施可能であることはいうまでもない。
【図面の簡単な説明】
【００７７】
【図１】この発明に係わる移動無線端末装置がメイン受信機とサブ受信機を備えることを示す図。
【図２】この発明に係わる移動無線端末装置の構成を示す回路ブロック図。
【図３】図２に示した移動無線端末装置のサーチャの構成を示す回路ブロック図。
【図４】図２に示した移動無線端末装置のパスサーチの概念を説明するための図。
【図５】図２に示した移動無線端末装置のサーチ窓を説明するための図。
【図６】図２に示した移動無線端末装置のサーチ結果を説明するための図。
【図７】図２に示した移動無線端末装置のフィンガの構成を示す回路ブロック図。
【図８】図２に示した移動無線端末装置のスループット計測を説明するための図。
【図９】この発明に係わる移動無線端末装置が利用される環境の一例を示す図。
【図１０】図９に示したセルＡが移動無線端末装置に提供する周辺セル情報の一例を示す図。
【図１１】図９に示したセルＢが移動無線端末装置に提供する周辺セル情報の一例を示す図。
【図１２】図９に示したセルＣが移動無線端末装置に提供する周辺セル情報の一例を示す図。
【図１３】図２に示した移動無線端末装置の動作を説明するためのフローチャート。
【図１４】図２に示した移動無線端末装置のフィンガおよびサーチャに割り当てられる信号を示す図。
【図１５】図２に示した移動無線端末装置のサーチャのサーチ結果を示す図。
【図１６】図２に示した移動無線端末装置のサーチャのサーチ結果を示す図。
【符号の説明】
【００７８】
１…制御部、２…送信ＲＦ部、３…送信モデム部、４…受信ＲＦ部、５…ＡＤＣ、６…受信ＲＦ部、７…ＡＤＣ、８…受信モデム部、９…外出しアンテナ、１０…内蔵アンテナ、１１…スループット検出部、８１，８２…サーチャ、８３，８４，８５，８６…フィンガ、８７…合成器、８０１…入力切替部、８０２…ＰＮ符号発生器、８０３…乗算器、８０４…積分器、８０５…自乗回路、８１０…入力切替部、８２０…フィンガ復調部、８２１…ＰＮ符号発生器、８２２…乗算器、８２３…積分器、８３０…同期追従部、８３１ａ，８３１ｂ…ＰＮ符号発生器、８３２ａ，８３２ｂ…乗算器、８３３ａ，８３３ｂ…積分器、８３４ａ，８３４ｂ…自乗回路、８３５…加算回路（Σ）。
【図１】
2006094383.tif 000003
【図２】
2006094383.tif 000004
【図３】
2006094383.tif 000005
【図４】
2006094383.tif 000006
【図５】
2006094383.tif 000007
【図６】
2006094383.tif 000008
【図７】
2006094383.tif 000009
【図８】
2006094383.tif 000010
【図９】
2006094383.tif 000011
【図１０】
2006094383.tif 000012
【図１１】
2006094383.tif 000013
【図１２】
2006094383.tif 000014
【図１３】
2006094383.tif 000015
【図１４】
2006094383.tif 000016
【図１５】
2006094383.tif 000017
【図１６】
2006094383.tif 000018